(57)【要約】【課題】警告が出ることによってシャッタチャンスを逃してしまったり、失敗写真を撮影してしまったりすることの無い撮像装置を提供する。【解決手段】ストロボ装置にて発せられたストロボ光が被写体に未到達であるか否か、および、手振れによる像振れを生じる状態であるか否かの少なくとも一方を判定する判定手段と、判定手段によりストロボ光が未到達であることが判定された場合に警告を行う警告手段とを有し、判定手段は、使用されるレンズの判定時における開放Ｆ値によらず、使用されるレンズの最も暗い開放Ｆ値を基準に判定する（Ｓ３０２）。【選択図】図３
2011061259.tif 000002
【特許請求の範囲】
【請求項１】
ストロボ装置にて発せられたストロボ光が被写体に未到達であるか否か、および、手振れによる像振れを生じる状態であるか否かの少なくとも一方を判定する判定手段と、
前記判定手段により前記ストロボ光が未到達であることが判定された場合に警告を行う警告手段とを有する撮像装置において、
前記判定手段は、使用されるレンズの判定時における開放Ｆ値によらず、前記使用されるレンズの最も暗い開放Ｆ値を基準に判定することを特徴とする撮像装置。
【請求項２】
手振れによる像振れを生じる状態であるか否かを判定する判定手段と、
前記判定手段により前記手振れによる像振れが生じる状態であることが判定された場合に警告を行う警告手段とを有する撮像装置において、
前記判定手段は、使用されるズームレンズの判定時における焦点距離によらず、前記使用されるズームレンズの最もテレ端の焦点距離を基準に判定することを特徴とする撮像装置。
【請求項３】
前記判定手段は、使用されるズームレンズの判定時における焦点距離によらず、前記使用されるズームレンズの最もテレ端の焦点距離および開放Ｆ値を基準に判定することを特徴とする請求項２に記載の撮像装置。
【請求項４】
使用されるズームレンズの合焦状態を判定する合焦判定手段と、
前記合焦判定手段により非合焦であることが判定された場合に非合焦警告を行う警告手段とを有する撮像装置において、
前記合焦判定手段は、使用されるズームレンズの判定時における開放Ｆ値によらず、前記ズームレンズの最も明るい開放Ｆ値を基準に判定することを特徴とする撮像装置。
【請求項５】
ストロボ装置にて発せられたストロボ光が被写体に未到達であるか否か、および、手振れによる像振れを生じる状態であるか否かの少なくとも一方を判定する判定手段と、
前記判定手段により前記ストロボ光が未到達であることが判定された場合に警告を行う警告手段とを有する撮像装置において、
前記判定手段は、使用されるレンズの判定時におけるＦ値よりも暗いＦ値を基準に判定することを特徴とする撮像装置。
【請求項６】
手振れによる像振れを生じる状態であるか否かを判定する判定手段と、
前記判定手段により前記手振れによる像振れが生じる状態であることが判定された場合に警告を行う警告手段とを有する撮像装置において、
前記判定手段は、使用されるズームレンズの判定時における焦点距離よりも長い焦点距離を基準に判定することを特徴とする撮像装置。
【発明の詳細な説明】
【技術分野】
【０００１】
本発明は、撮影前にユーザーに対して撮影に関する警告を行う機能を有する撮像装置に関するものである。
【背景技術】
【０００２】
ストロボ撮影を行う際に被写体を照射するためのストロボ光の到達距離は、そのストロボ装置の光量を示すＧＮｏ（ガイドナンバー）をカメラのレンズの絞り値で割ることで求めることができる。例えば、ＧＮｏが５８、絞り値がＦ８に設定されていれば、ストロボ光の到達距離は、５８÷８＝７．２５ｍとなる。カメラのレンズがズーム機能を有している場合には、一般的に、ズーム倍率を高くするほどレンズの絞り値が大きく（暗く）なり、ストロボ光の到達距離が短くなる。なお、レンズの明るさを示す指標として一般的にＦ値が用いられており、絞りを開放（全開）にしたときのそのレンズのＦ値を開放Ｆ値という。
【０００３】
また、殆どのカメラでは、被写体の輝度値から適正なシャッタ速度を演算する機能を備えている。そして、その中には、焦点距離ｆ（ｍｍ）を用いて、シャッタ速度が１／ｆよりも低速秒時だと手振れによる像振れが生じるものとしてユーザーに警告を行う機能を備えるものも多く存在する。
【０００４】
また、スポット測光(部分測光)範囲でとらえた被写体に対しプリ発光を行い、適正調光量を撮影前に記憶するＦＥロックや、オートフォーカスの合焦と同時に、測光を停止して露出（シャッタ速度と絞り値）を固定するＡＥロックを行う機能は知られている。ＦＥロック時やＡＥロック時など、本撮影時の発光量や露出量の設定後にズーミングを行うと、ズーミング前まではストロボ光未到達や手振れの警告が出ていなかったにも関わらず、その後のズーミングにより開放Ｆ値が大きく（暗く）なる。そして、警告が出てしまう場合があった。
【０００５】
つまり、ＦＥロック時のズームレンズの焦点距離における開放Ｆ値では、被写体までストロボ光が届くと判定された場合でも、その後にズームレンズの焦点距離を望遠側にすることによって、開放Ｆ値が暗くなる。このことで、被写体までストロボ光が届かないと判定され、警告がなされる場合である。あるいは、合焦時に露出をロックした時のズームレンズの焦点距離では、手振れ判定にかかっていなかったものが、ズームレンズの焦点距離を望遠側にすることによって、手振れ警告表示レベルと判定され、手振れ警告がされる場合である。
【０００６】
特許文献１には、焦点距離に応じて撮像素子からの画像信号の増幅率の設定を変更し、ストロボ撮影可能範囲をほぼ一定に保つというものが提案されている。
【先行技術文献】
【特許文献】
【０００７】
【特許文献１】特開２００３−００８９８９号公報
【発明の概要】
【発明が解決しようとする課題】
【０００８】
上記のように、本撮影時の発光量や露出量が設定された後でズーミングが行われると、ズーミングする前まではストロボ光未到達や手振れの警告が出ていなかったにも関わらず、その後のズーミング操作により上記の警告が出てしまう場合があった。この場合、警告を消すために使用者が発光量や露出値を再設定しようとすると、その間にシャッタチャンスを逃してしまうことがあった。あるいは、警告が出る状態に気が付かずにそのまま撮影し、十分な輝度を得られていない写真や手振れの写真、つまり失敗写真を撮影してしまう虞があった。
【０００９】
（発明の目的）
本発明の目的は、警告が出ることによってシャッタチャンスを逃してしまったり、失敗写真を撮影してしまったりすることの無い撮像装置を提供しようとするものである。
【課題を解決するための手段】
【００１０】
上記目的を達成するために、本発明の撮像装置は、ストロボ装置にて発せられたストロボ光が被写体に未到達であるか否か、および、手振れによる像振れを生じる状態であるか否かの少なくとも一方を判定する判定手段と、前記判定手段により前記ストロボ光が未到達であることが判定された場合に警告を行う警告手段とを有する撮像装置において、前記判定手段が、使用されるレンズの判定時における開放Ｆ値によらず、前記使用されるレンズの最も暗い開放Ｆ値を基準に判定することを特徴とするものである。
【発明の効果】
【００１１】
本発明によれば、警告が出ることによってシャッタチャンスを逃してしまったり、失敗写真を撮影してしまったりすることを無くすことができる。
【図面の簡単な説明】
【００１２】
【図１】本発明の一実施例に係る撮像装置の構成を示すブロック図である。
【図２】実施例に係る撮像装置の動作を示すフローチャートである。
【図３】実施例でのＦＥロック時の判定動作を示すフローチャートである。
【図４】実施例での手振れの判定動作を示すフローチャートである。
【図５】実施例での合焦判定動作を示すフローチャートである。
【図６】マクロレンズ使用時での判定動作を示すフローチャートである。
【発明を実施するための形態】
【００１３】
本発明を実施するための形態は、以下の実施例に示す通りである。
【実施例】
【００１４】
図１は本発明の一実施例に係る撮像装置であるところのカメラの概略構成を示すブロック図である。図１において、１はカメラ本体内のマイクロコンピュータ１６と通信を行う交換式の撮影レンズ（カメラ本体に一体のものでもよい）であり、ズームレンズを含むものである。撮影レンズ１内にはＡＦ（オートフォーカス）駆動回路１ａおよび絞り駆動回路１ｂが具備されている。ＡＦ駆動回路１ａは、マイクロコンピュータ１６からの駆動信号を基にステッピングモータ等のアクチュエータを駆動してフォーカスレンズのピント合わせを行う。上記駆動信号を生成するためのフォーカス演算に用いられるデフォーカス量は、複数の測距ポイントを持つＡＦセンサ２４の出力を用いて算出される。絞り駆動回路１ｂは、マイクロコンピュータ１６からの駆動信号を基に不図示の絞りを駆動して光学的な絞り値を変化させるものである。
【００１５】
上記マイクロコンピュータ１６は、撮影レンズ１との通信により、ズームレンズの現在のズーム位置（焦点距離情報）、現在の距離環位置（被写体距離）の情報を収得することが可能である。また、撮影レンズ１と通信可能であるか否かにより、撮影レンズ１がカメラ本体に装着されているか、未装着状態であるかを判定することができる。
【００１６】
以下、カメラ本体内の構成について説明する。２はクイックリターンミラーであり、露光の際にマイクロコンピュータ１６の指示で不図示のアクチュエータによりアップもしくはダウンされる。つまり、撮影光路から退避させられたり、進入させられたりする。このクイックリターンミラー２にはＡＦ光学系に光を導くためのハーフミラー２ａが取り付けられており、このサブミラー２ａもクイックリターンミラー２のアップもしくはダウンに連動して作動するようになっている。
【００１７】
３はフォーカシングスクリーンであり、撮影者はペンタプリズム４とファインダ光学系を通して該フォーカシングスクリーン３を観察することで、撮影レンズ１を通して映し出された像のピントや構図の確認が可能である。５はフォーカルプレーンシャッタであり、マイクロコンピュータ１６からの制御信号により後述の撮像素子６（図１ではＣＣＤと記す）の露光時間を自由に制御できる。フォーカルプレーンシャッタ５は一般的には先幕、後幕から構成され、２枚の幕の間隔で自由な露光時間が制御される。６はＣＣＤやＣＭＯＳなどの撮像素子であり、撮影レンズ１によって結像された被写体像を光電変換して電気信号として取り出す。
【００１８】
７はクランプ／ＣＤＳ回路、８はＡＧＣ（自動利得制御）回路であり、これらはＡ／Ｄ変換をする前の基本的なアナログ処理を行うものであり、マイクロコンピュータ１６により、クランプレベルやＡＧＣ基準レベルの変更も可能である。９は入力されるアナログの撮像素子出力信号をデジタル信号に変換するＡ／Ｄ変換部であり、設定されているＩＳＯ感度に応じた変換を行う。
【００１９】
１０は映像信号処理回路であり、デジタル化された画像データに、フィルタ処理、色変換処理、ガンマー／ニー処理を行い、メモリコントローラ１３に出力する。他方、この映像信号処理回路１０はＤ／Ａ変換部が内蔵されており、撮像素子６から入力される映像信号や、メモリコントローラ１３から逆に入力される画像データをアナログ信号に変換し、液晶駆動回路１１を通して液晶表示部１２に出力することも可能である。これらの機能切り換えはマイクロコンピュータ１６とのデータ交換により行われ、ホワイトバランス情報をマイクロコンピュータ１６に出力可能である。その情報を基にマイクロコンピュータ１６はホワイトバランス調整を行う。
【００２０】
マイクロコンピュータ１６の指示により、液晶表示部１２に出力することなく、メモリコントローラ１３を通してバッファーメモリ１９に画像データを保存することも可能である。また、映像信号処理回路１０はＪＰＥＧなどの圧縮処理を行う機能も入っている。連写の場合は、一旦バッファーメモリ１９に撮影データを格納し、処理時間がある場合にメモリコントローラ１３を通して未処理の画像データを読み出し、映像信号処理回路１０で画像処理や圧縮処理を行い、連写スピードを稼ぐ。連写枚数は、バッファーメモリ１９の容量に大きく左右される。
【００２１】
また、マイクロコンピュータ１６は、撮影前に設定されているＩＳＯ感度、画像サイズ、画質応じた画像サイズの予測値データをもとに、メモリコントローラ１３を通して、メモリ１４の容量を確認して比較し、撮影可能残数を演算し、表示部に表示させる。
【００２２】
メモリコントローラ１３は、映像信号処理回路１０から入力された未処理のデジタル画像データをバッファーメモリ１９に格納する。そして、処理済みのデジタル画像をメモリ１４に格納したり、逆にバッファーメモリ１９やメモリ１４から画像データを映像信号処理回路１０に出力したりする。また、メモリコントローラ１３は、外部インターフェイス１５から送られて来る映像をメモリ１４に記録したり、メモリ１４に記録されている画像を外部インターフェイス１５から出力したりすることも可能である。メモリ１４は取り外し自由である場合もある。
【００２３】
１７は電源であり、各ＩＣや駆動系に必要な電源を供給する。１８は操作状態検出回路であり、マイクロコンピュータ１６に後述のスイッチの操作状態を伝え、マイクロコンピュータ１６はその操作状態変化に応じて各部をコントロールする。２０ａ（ＳＷ１）はレリーズ釦の半押し状態でオンするスイッチであり、２０ｂ（ＳＷ２）はレリーズ釦の全押し状態でオンするスイッチであり、共にオンすることにより撮影準備、撮影が行われる。
【００２４】
上記操作状態検出回路１８には、上記レリーズ釦（スイッチＳＷ１，ＳＷ２）の他に、ＩＳＯ設定釦、画像サイズ設定釦、画質設定釦、情報表示釦、ＡＦ選択釦、ズーミングを行うためのズーム操作部材が接続されており、各釦（スイッチ）の状態が検出されている。なお、ＡＦ選択釦により自動選択ＡＦモードと任意選択ＡＦモードのいずれかを選択可能であり、さらに任意選択ＡＦモード時には任意の測距ポイントを選択することができるものとする。
【００２５】
２１は液晶駆動回路であり、マイクロコンピュータ１６からの表示内容命令に従って外部液晶表示部２２やファインダ内液晶表示部２３を駆動する。ファインダ内液晶表示部２３には、不図示のＬＥＤ（赤外発光ダイオード）などのバックライトが配置されており、そのＬＥＤも液晶駆動回路２１により駆動される。
【００２６】
２４は撮影画面の複数個所で測距を可能にするＡＦセンサであり、複数の測距ポイントを持つ。マイクロコンピュータ１６は、このうちのいずれかの測距ポイントの出力に基づいてデフォーカス量を算出する。そして、このデフォーカス量を基にフォーカスレンズ用の駆動信号を算出し、撮影レンズ１内のＡＦレンズ駆動回路１ａに出力し、ピント合わせを行わせる。２５は複数の測光エリアを有するＡＥセンサであり、ファインダスクリーン３上で測光し、撮影レンズ１を通した被写体の輝度を測定する。２６はローパスフィルタであり、赤外カットの機能も持つ。
【００２７】
２７はストロボ装置（外付けタイプでも内蔵タイプでもよい）であり、マイクロコンピュータ１６と双方向通信により情報のやり取りを行い、マイクロコンピュータ１６の発光タイミングの指示にしたがって、設定された発光量でストロボ発光を行う。
【００２８】
次に、マイクロコンピュータ１６にて行われる一連の撮影動作について、図２のフローチャートを用いて説明する。
【００２９】
なお、本実施例１では、ストロボ光未到達や手振れの警告を出すか出さないかを判定する場合、ズームレンズの警告の出易い、つまり最も条件の悪い時の開放Ｆ値の固有値を用いて判定するものとする。ここで、ズームレンズの警告の出易い固有値とは、テレ端の焦点距離、テレ端の開放Ｆ値、ワイド端の開放Ｆ値、至近端の開放Ｆ値である。なお、本実施例における開放Ｆ値とはレンズの絞りを開放（全開）したときのＦ値を示すものであり、レンズの情報として公表されている開放Ｆ値と実行Ｆ値に差がある場合には、この実行Ｆ値も本実施例の開放Ｆ値に含まれるものとする。
【００３０】
図２において、マイクロコンピュータ１６は、ステップＳ２００より動作を開始し、先ずステップＳ２０１では、電源ＯＦＦタイマがタイムアウトしたかどうかの判定を行う。タイムアウトしている場合は電源ＯＦＦの処理のために後述のステップＳ２２０へ進み、タイムアウトしていない場合はステップＳ２０２へ進む。
【００３１】
電源ＯＦＦタイマがタイムアウトしていないとしてステップＳ２０２へ進むと、マイクロコンピュータ１６は、撮影者による操作部材１８の操作により入力にされるカメラの撮影モード等の各種の設定を行う。そして、次のステップＳ２０３にて、複数の測距ポイントを持つＡＦセンサ２４を用いて撮影レンズ1内のフォーカスレンズの焦点状態を検出し、その結果に基づいて焦点調節を行う。
【００３２】
次のステップＳ２０４では、マイクロコンピュータ１６は、上記ステップＳ２０３での焦点調節により合焦した場合は、その合焦点を基に複数の測光エリアを持つＡＥセンサ２５を用いて被写体の輝度を測定する。そして、適正露出を得るためのシャッタ秒時や絞り値を演算する。一方、合焦点が得られなかった場合は、中央の測光エリアを基準に被写体の輝度を測定し、適正露出を得るためのシャッタ秒時や絞り値を演算する。測距ポイントを基準とした測光演算は多くのものが提案されているが、最も単純なものは、基準の測距ポイントに対応した測光エリアを中心とした重点測光である。また、上記ステップＳ２０４でＦＥロック釦の操作が検出されている場合は、ストロボ装置２７をプリ発光させ、その反射光を測光する。そして、ここで後述の図３ないし図６に示すストロボ光未到達判定、合焦判定（非合焦判定）、手振れ判定（手振れに起因する像振れが生じる可能性が高い状態を判定すること）の演算を行う。
【００３３】
次のステップＳ２０５では、マイクロコンピュータ１６は、上記ステップＳ２０２で設定された状態や、各種の設定状態を外部液晶表示部２２などに表示する。さらに、上記ステップＳ２０２で設定された、ＩＳＯ感度、画像サイズ、画質に応じた画像サイズの予測値データをもとに、メモリコントローラ１３を通して、メモリ１４の容量を確認し、比較して撮影可能残数を演算して表示する。さらに、上記ステップＳ２０３で検出されたピントの状態（合焦判定結果表示）や上記ステップＳ２０４で演算されたシャッタ秒時や絞り値を表示する。さらに、上記ステップＳ２０３で判定された有効な測距ポイントを表示する。さらに、手振れであると判定した場合や上記ステップＳ２０４でＦＥロックした場合にストロボ光未到達判定をしてストロボ光が到達しないと判定した場合は、警告表示を出す。
【００３４】
次のステップＳ２０６では、マイクロコンピュータ１６は、レリーズ釦の半押しがなされてスイッチＳＷ１がオンしているかどうかの判定を行い、スイッチＳＷ１がオンしていなければステップＳ２０１へ戻る。また、スイッチＳＷ１がオンしていればステップＳ２０７へ進み、電源ＯＦＦタイマの更新を行う。
【００３５】
次のステップＳ２０８では、マイクロコンピュータ１６は、レリーズ釦の全押しがなされてスイッチＳＷ２がオンしているかどうかの判定を行い、スイッチＳＷ２がオンしていなければステップＳ２０１へ戻る。また、スイッチＳＷ２がオンしていればステップＳ２０９へ進み、画像撮影を可能にするためにクイックリターンミラー２をアップ状態にするとともに、撮影レンズ１に通信し、上記ステップＳ２０４で演算された絞り値にレンズの絞りを制御する。
【００３６】
次のステップＳ２１０では、マイクロコンピュータ１６は、上記ステップＳ２０３で演算されたシャッタ時間を基にフォーカルプレーンシャッタ５を制御し、ＣＣＤ６からの画像をクランプ／ＣＤＳ７、ＡＧＣ８、Ａ／Ｄ変換部９を介して取り込む。ストロボ撮影の場合は、画像の蓄積に同調して、ＦＥロック動作で演算された発光量でストロボ装置２７を制御してストロボ発光を行わせる。そして、次のステップＳ２１１にて、クイックリターンミラー２をダウン状態にするとともに、撮影レンズ１に通信し、レンズの絞りを開放状態に制御する。
【００３７】
次のステップＳ２１２では、マイクロコンピュータ１６は、ＡＧＣ８に対して設定されたＩＳＯ値に対するゲイン値を送り、感度調整し、メモリコントロール１３に対して画像信号を送り、バッファーメモリ１９に画像を一時保管する。そして、次のステップＳ２１３にて、映像信号処理回路１０の出力であるホワイトバランス情報を基に、適正な色になるように、映像信号処理回路１０で用いるＲとＢのゲインとを演算決定し、制御する。続くステップＳ２１４では、バッファーメモリ１９に格納された未処理の画像を映像信号処理回路１０の負荷が画像処理できるレベルであるときに処理し、圧縮し、メモリ１４に格納する動作をスタートさせる。連写等の場合は、バッファーメモリ１９に画像が順次格納されるが、画像処理は停止した状態になることもある。
【００３８】
次のステップＳ２１５では、マイクロコンピュータ１６は、撮影可能枚数（記録枚数）の算出を行う。そして、次のステップＳ２１６にて、上記ステップＳ２１４で処理された画像信号を液晶駆動回路１１に送り、液晶表示部１２に表示させる。続くステップＳ２１７では、上記ステップＳ２０３，Ｓ２０４，Ｓ２１５で決定した各種撮影情報を液晶駆動回路２１に送り、外部液晶表示部２２に表示させる。同様に、ファインダ内液晶表示部２３にも表示させる。
【００３９】
次のステップＳ２１８では、マイクロコンピュータ１６は、メモリ１４に記録可能な領域が存在するかどうかの判定と未処理のバッファーメモリ１９上の画像も考慮して、上記判定をもとに、次にレリーズ可能（撮影可能）であるかどうかを調べる。その結果、レリーズ可能であればステップＳ２０１へ戻る。また、レリーズ可能でない場合はステップＳ２１９へ進み、撮影不可能状態であることの警告表示を行わせる。
【００４０】
また、上記ステップＳ２０１にてタイムアウトしていると判定した場合は前述したように電源ＯＦＦの処理を行うためにステップＳ２２０へ進む。そして、このステップＳ２２０では、マイクロコンピュータ１６は、液晶駆動回路１１により液晶表示部１２での表示を消灯すると共に液晶表示部２３のバックライトも消灯する。次のステップＳ２２１では、上記ステップＳ２１４でスタートさせた、画像処理と圧縮とメモリ１４への格納処理すべてを終了させ、バッファーメモリ１９の撮影画像領域が空になるのを待つ。そして、次のステップＳ２２２にて、電源回路１７に指示を出し、必要無い電源は落とし、ステップＳ２２３で電源ＯＦＦの処理を終了する。
【００４１】
次に、図２の上記ステップＳ２０４にて実行されるうちの一つである、ＦＥロック時におけるストロボ光未到達判定のための動作について、図３のフローチャートを用いて説明する。
【００４２】
マイクロコンピュータ１６は、ステップＳ３００よりＦＥロック時におけるストロボ光未到達警告の判定動作を開始し、先ずステップＳ３０１では、装着されている撮影レンズ１がズームレンズを含むかどうかの判定を行う。ズームレンズを含んでいないと判定した場合は後述のステップＳ３０３へ進む。一方、ズームレンズを含むと判定した場合はステップＳ３０２へ進む。
【００４３】
ステップＳ３０２へ進むと、ズームレンズのテレ端の開放Ｆ値を元に、ＦＥロック時のストロボ光未到達警告の判定を行う。つまり、撮影レンズ１の現在の焦点距離にかかわらず、ズームレンズのテレ端の開放Ｆ値を用いて、ＦＥロック動作で測光されたプリ発光の反射光をもとに、ストロボ光が被写体に到達するかどうかの判定を行う。テレ端の開放Ｆ値はワイド端の開放Ｆ値より大きいので、最悪値の開放Ｆ値でストロボ光が被写体に到達するかどうかを判定したことになる。そして、次のステップＳ３０４にて、このフローを終了する。
【００４４】
また、ステップＳ３０１からステップＳ３０３へ進むと、レンズの焦点距離の開放Ｆ値を用いて、ＦＥロック動作で測光されたプリ発光の反射光をもとに、ストロボ光が被写体に到達するかどうかの判定を行う。そして、次のステップＳ３０４にて、このフローを終了する。
【００４５】
上記のように、最悪値、つまり撮影レンズ１の最も暗いＦ値、つまりテレ端の開放Ｆ値を基準にストロボ光未到達判定を行うようにすれば、ズームレンズのズームミングにより警告が変わることが少なくなる。
【００４６】
よって、ズーミングする前まではストロボ光未到達警告が出ていなかったにも関わらず、その後のズーミング操作により上記の警告が出てしまい、シャッタチャンスを逃したり、失敗写真を撮影してしまったりすることが無くなる。
【００４７】
次に、図２の上記ステップＳ２０４にて実行されるうちの一つである、手振れ判定のための動作について、図４のフローチャートを用いて説明する。
【００４８】
マイクロコンピュータ１６は、ステップＳ４００より手振れ判定を開始し、先ずステップＳ４０１では、装着されている撮影レンズ１がズームレンズを含むかどうかの判定を行い、ズームレンズを含むと判定した場合はステップＳ４０２へ進む。そして、このステップＳ４０２では、手振れ判定後にユーザーがズームレンズをテレ側に駆動する可能性も考慮して、撮影レンズ１の現在の焦点距離にかかわらず、ズームレンズのテレ端の焦点距離と開放Ｆ値を用いて、手振れ判定を行う。つまり、焦点距離および開放Ｆ値をズームレンズがテレ端に設定されたときの値に設定してシャッタ速度を求め、このシャッタ速度が１／ｆより低速に設定されてしまう場合には手振れが生じると判定する。そして、次のステップＳ４０４にて、このフローを終了する。
【００４９】
また、上記ステップＳ４０１にてズームレンズを含んでいないと判定した場合はステップＳ４０３へ進み、撮影レンズ１の焦点距離と開放Ｆ値を用いて、手振れ判定を行う。そして、次のステップＳ４０４にて、このフローを終了する。
【００５０】
上記のように、最悪値、つまりレンズの最もテレ端の焦点距離を基準に手振れ判定を行うようにすれば、ズームレンズのズームミングにより警告が変わることが少なくなる。
【００５１】
よって、ズーミングする前までは手振れ警告が出ていなかったにも関わらず、その後のズーミング操作により上記の警告が出てしまい、シャッタチャンスを逃したり、失敗写真を撮影してしまったりすることが無くなる。
【００５２】
次に、図２の上記ステップＳ２０３にて実行されるうちの一つである、合焦判定のための動作について、図５のフローチャートを用いて説明する。
【００５３】
マイクロコンピュータ１６は、ステップＳ５００より合焦状態の判定を開始し、先ずステップＳ５０１では、装着されている撮影レンズ１がズームレンズを含むかどうかの判定を行い、ズームレンズを含むと判定した場合はステップＳ５０２へ進む。そして、このステップＳ５０２では、撮影レンズ１の現在の焦点距離にかかわらず、ズームレンズのワイド端の開放Ｆ値を用いて、合焦判定を行う。ワイド端は他よりも開放Ｆ値が小さく、合焦判定にとって最も厳しい条件となるためである。そして、次のステップＳ５０４にて、このフローを終了する。
【００５４】
また、上記ステップＳ５０１にてズームレンズを含んでいないと判定した場合はステップＳ５０３へ進み、レンズの開放Ｆ値を用いて、合焦判定を行う。そして、次のステップＳ５０４にて、このフローを終了する。
【００５５】
上記のように、最も厳しい値、つまりズームレンズのワイド端の開放Ｆ値を元に合焦判定を行うようにすることで、ズームミングによらず、精度のよい合焦判定を行うことができる。
【００５６】
換言すれば、ズーミングする前までは非合焦警告が出ていなかったにも関わらず、その後のズーミング操作により上記の警告が出てしまい、シャッタチャンスを逃したり、失敗写真を撮影してしまったりすることが無くなる。
【００５７】
次に、図２の上記ステップＳ２０４にて実行されるうちの一つである、ＦＥロック時におけるストロボ光未到達判定のための動作について、図６のフローチャートを用いて説明する。
【００５８】
マイクロコンピュータ１６は、ステップＳ６００より合焦判定を開始し、先ずステップＳ６０１では、装着されている撮影レンズ１がマクロレンズかどうかの判定を行い、マクロレンズであると判定した場合はステップＳ６０２へ進む。そして、このステップＳ６０２では、撮影レンズ１の至近端の開放Ｆ値をもとに、ストロボ光が被写体に到達するかどうかの判定を行う。そして、次のステップＳ６０４にて、このフローを終了する。
【００５９】
また、上記ステップＳ６０１にてマクロレンズでないと判定した場合はステップＳ６０３へ進み、レンズの開放Ｆ値を用いて、ＦＥロック動作で測光されたプリ発光の反射光をもとに、ストロボ光が被写体に到達するかどうかの判定を行う。そして、次のステップＳ６０４にて、このフローを終了する。
【００６０】
上記のように、最悪値、つまりレンズの最も暗い至近端の開放Ｆ値を基準とする判定でストロボ未到達判定を行うようにすれば、レンズの繰り出し量により判定が変わることが少ない。
【００６１】
よって、ズーミングする前まではストロボ光未到達警告が出ていなかったにも関わらず、その後のズーミング操作により上記の警告が出てしまい、シャッタチャンスを逃したり、失敗写真を撮影してしまったりすることが無くなる。
【００６２】
前述したように、従来は、ズーミングする前まではストロボ光未到達や手振れの警告が出ていなかったにも関わらず、その後のズーミング操作により上記の警告が出てしまう場合があった。この場合、警告を消すために使用者が発光量や露出値を再設定しようとすると、その間にシャッタチャンスを逃してしまうことがあった。あるいは、警告が出る状態に気が付かず、そのまま撮影し、十分な輝度を得られていない写真や手振れ写真を撮影してしまう虞があった。
【００６３】
これを改善するために、上記実施例においては、レンズの最も暗いＦ値を基準に、ストロボ光未到達かどうかの判定をして、警告を出すかどうかを決定している。もしくは、レンズの最もテレ端の焦点距離を基準に手振れ警告を出すか出さないかを決定している。さらには、レンズの最も明るい開放Ｆ値を基準にピントの合焦判定をして、警告を出すかどうかを行うようにしている。
【００６４】
よって、シャッタチャンスを逃してしまったり、十分な輝度を得られていない写真や手振れ写真、つまり失敗写真を撮影してしまったりすることの無い撮像装置とすることができる。さらには、Ｆ値による感度を変更するなどの動作を行わないので、撮影者が設定した感度とは異なる画質となってしまうといったこともなくなる。
【００６５】
なお、上記実施例では、ズームレンズの状態が最も警告が出やすい状況であるものとみなして、ストロボ光が未到達や像振れの警告の可否を判定していたが、必ずしもこれに限定される必要はない。
【００６６】
例えば、焦点距離の可変量を大きく設計したズームレンズを用いた場合に、ズームレンズをワイド端とした状態でＦＥロック動作を行った後に、ズームレンズをテレ端まで駆動させるようなことは、現実としては考えにくい。したがって、このような焦点距離の可変量の大きなズームレンズを用いた場合には、警告判定時のズームレンズの焦点距離に応じて、どの焦点距離の開放Ｆ値の値を用いて警告判定を行うかを変更するようにしてもよい。
【００６７】
テレ端の開放Ｆ値よりも小さな開放Ｆ値を用いて警告の可否を判断することで、テレ端の開放Ｆ値を用いて判断を行った場合よりも、ズーミング動作後に警告が表示される可能性が高くなる。しかしながら、警告判定時に、警告を出すと判定される可能性は低く抑えることができるため、ＦＥロック動作後に極端にズーミングを行う可能性が低いのであれば、判定に用いる開放Ｆ値の制限を緩くすることにより利便性は向上すると考えられる。このように、必ずしもテレ端の開放Ｆ値や焦点距離でなくとも、その時点の開放Ｆ値よりも所定量だけ暗い開放Ｆ値を基準として、あるいは、所定量だけ長い焦点距離を基準として、ＦＥロック動作時における警告の可否を判断するようにしても構わない。
【符号の説明】
【００６８】
１    撮影レンズ
１６  マイクロコンピュータ
１８  操作状態検出回路
２２  外部液晶表示部
２３  ファインダ内液晶表示部
２５  ＡＦセンサ
２７  ストロボ装置
【図１】
2011061259.tif 000003
【図２】
2011061259.tif 000004
【図３】
2011061259.tif 000005
【図４】
2011061259.tif 000006
【図５】
2011061259.tif 000007
【図６】
2011061259.tif 000008